(57)【要約】【課題】方立の室外側面と障子の室外面を略面一状として意匠性を向上させると共に、気密性及び水密性にも優れたサッシ窓を提供する。【解決手段】方立２は室外側に面する室外側面３２ａを有し、左右に設けられる障子３の框体４を構成する縦框２２は、それぞれ方立２の室外側面３２ａに対向する対向部２２ａを室外面に備えると共に、対向部２２ａは方立２の室外側面３２ａの幅方向両側に設けられる縦タイト材３６に当接し、方立２の室外側面には、左右に設けられる障子３の框体４を構成する各縦框２２の外周端部間の領域に、室外側に向かって突出する突出部３７が設けられ、突出部３７の室外面は各縦框２２の室外面と略面一状とする。【選択図】図４
2010121296.tif 000002
【特許請求の範囲】
【請求項１】
上下枠及び左右の縦枠を枠組みしてなる窓枠体の幅方向中間位置の、前記上下枠間に方立を設け、該方立の左右にはそれぞれ上下框及び左右の縦框を框組みしてなる框体を有した障子を納めてなるサッシ窓において、
前記方立は室外側に面する室外側面を有し、左右に設けられる前記障子の框体を構成する縦框は、それぞれ前記方立の室外側面に対向する対向部を室外面に備えると共に、該対向部は前記方立の室外側面の幅方向両側に設けられる縦タイト材に当接し、
前記方立の室外側面には、左右に設けられる前記障子の框体を構成する各縦框の外周端部間の領域に、室外側に向かって突出する突出部が設けられ、該突出部の室外面は前記各縦框の室外面と略面一状であることを特徴とするサッシ窓。
【請求項２】
前記方立の突出部は前記室外側面に形成される突出状の係合部と、該係合部に係合され前記突出部の室外面を有するカバー材とで構成されることを特徴とする請求項１記載のサッシ窓。
【請求項３】
前記カバー材の前記係合部に対する当接室内端位置は、前記縦タイト材の前記対向部に対する当接位置と室内外方向において略同じ位置であることを特徴とする請求項２記載のサッシ窓。
【請求項４】
前記上枠の室外側部及び下枠の室外側部には、それぞれ前記障子の上框及び下框の室外面に対して当接する横タイト材が設けられ、該横タイト材は前記縦タイト材と室内外方向において略同じ位置に設けられると共に、前記方立が設けられる部分を含む前記上下枠の略全長に渡って通し状に装着されることを特徴とする請求項３記載のサッシ窓。
【請求項５】
前記上枠は室外端部に下方に開口する溝状の凹部が形成され、前記方立のカバー材は上端部が前記上枠の凹部に納められることを特徴とする請求項２〜４のいずれか１項に記載のサッシ窓。
【請求項６】
前記方立は前記上枠の下面及び下枠の上面にそれぞれ設けられた取付金具に取付けられると共に、前記方立の室外側面から固着具により前記取付金具に対し固定されることを特徴とする請求項１〜５のいずれか１項に記載のサッシ窓。
【発明の詳細な説明】
【技術分野】
【０００１】
本発明は、窓枠体の幅方向中間位置に方立を縦方向に設けて左右に障子を納めたサッシ窓に関し、特に方立と左右の障子の室外面が略面一状となるようにしたサッシ窓に関する。
【背景技術】
【０００２】
従来、窓を横方向に２つ以上連設した連窓のサッシ窓が知られている。サッシ窓を連窓とする構造としては、上下枠及び左右の縦枠を枠組みしてなる窓枠体を２つ用意し、対向する縦枠を方立で連結するものや、上下枠及び左右の縦枠を枠組みしてなる窓枠体の幅方向中間位置に方立を縦方向に設けるものが知られている。このようなサッシ窓としては、例えば特許文献１に挙げるようなものがある。
【特許文献１】特開２００１−１４６８７６号公報
【発明の開示】
【発明が解決しようとする課題】
【０００３】
方立と障子の間の気密性及び水密性を確保するため、障子の室外面は方立の室外側面に対し室外側から対向するように形成され、方立には対向する障子の室外面に当接するタイト材を設けるようにしている。しかし、このように方立の室外側面に対し障子が室外側から当接すると、障子の室外側面と方立の室外側面が段差状となり、サッシ窓を室外側から見た場合の意匠性を損ねるという問題があった。また、窓枠体と方立の全周に渡って障子との間の気密性及び水密性を確保する必要もある。
【０００４】
本発明は前記課題を鑑みてなされたものであり、方立の室外側面と障子の室外面を略面一状として意匠性を向上させると共に、気密性及び水密性にも優れたサッシ窓を提供することを目的とする。
【課題を解決するための手段】
【０００５】
前記課題を解決するため、本発明に係るサッシ窓は、上下枠及び左右の縦枠を枠組みしてなる窓枠体の幅方向中間位置の、前記上下枠間に方立を設け、該方立の左右にはそれぞれ上下框及び左右の縦框を框組みしてなる框体を有した障子を納めてなるサッシ窓において、
前記方立は室外側に面する室外側面を有し、左右に設けられる前記障子の框体を構成する縦框は、それぞれ前記方立の室外側面に対向する対向部を室外面に備えると共に、該対向部は前記方立の室外側面の幅方向両側に設けられる縦タイト材に当接し、
前記方立の室外側面には、左右に設けられる前記障子の框体を構成する各縦框の外周端部間の領域に、室外側に向かって突出する突出部が設けられ、該突出部の室外面は前記各縦框の室外面と略面一状であることを特徴として構成されている。
【０００６】
また、本発明に係るサッシ窓は、前記方立の突出部は前記室外側面に形成される突出状の係合部と、該係合部に係合され前記突出部の室外面を有するカバー材とで構成されることを特徴として構成されている。
【０００７】
さらに、本発明に係るサッシ窓は、前記カバー材の前記係合部に対する当接室内端位置は、前記縦タイト材の前記対向部に対する当接位置と室内外方向において略同じ位置であることを特徴として構成されている。
【０００８】
さらにまた、本発明に係るサッシ窓は、前記上枠の室外側部及び下枠の室外側部には、それぞれ前記障子の上框及び下框の室外面に対して当接する横タイト材が設けられ、該横タイト材は前記縦タイト材と室内外方向において略同じ位置に設けられると共に、前記方立が設けられる部分を含む前記上下枠の略全長に渡って通し状に装着されることを特徴として構成されている。
【０００９】
そして、本発明に係るサッシ窓は、前記上枠は室外端部に下方に開口する溝状の凹部が形成され、前記方立のカバー材は上端部が前記上枠の凹部に納められることを特徴として構成されている。
【００１０】
また、本発明に係るサッシ窓は、前記方立は前記上枠の下面及び下枠の上面にそれぞれ設けられた取付金具に取付けられると共に、前記方立の室外側面から固着具により前記取付金具に対し固定されることを特徴として構成されている。
【発明の効果】
【００１１】
本発明に係るサッシ窓によれば、方立の室外側面には、左右に設けられる障子の框体を構成する各縦框の外周端部間の領域に、室外側に向かって突出する突出部が設けられ、突出部の室外面は各縦框の室外面と略面一状であることにより、室外側からサッシ窓を見た場合に、２枚の障子の間が略面一状となり、意匠性を良好にすることができる。
【００１２】
また、本発明に係るサッシ窓によれば、方立の突出部は室外側面に形成される突出状の係合部と、係合部に係合され突出部の室外面を有するカバー材とで構成されることにより、方立の上下枠に対する固定位置をカバー材で覆われる領域に設けることができ、これによればカバー材を取付けると固定部分が露出しないこととなるため、意匠性をより良好にすることができる。
【００１３】
さらに、本発明に係るサッシ窓によれば、カバー材の係合部に対する当接室内端位置は、縦タイト材の対向部に対する当接位置と室内外方向において略同じ位置であることにより、カバー材の室内端部で縦タイト材と連続状に設けられる横タイト材に対し障子と同様に当接することができ、気密性及び水密性を高くすることができる。
【００１４】
さらにまた、本発明に係るサッシ窓によれば、上枠の室外側部及び下枠の室外側部に設けられる横タイト材は、縦タイト材と室内外方向において略同じ位置に設けられると共に、方立が設けられる部分を含む上下枠の略全長に渡って通し状に装着されることにより、タイト材が分割されないので気密性及び水密性をより高くすることができる。
【００１５】
そして、本発明に係るサッシ窓によれば、上枠は室外端部に下方に開口する溝状の凹部が形成され、方立のカバー材は上端部が上枠の凹部に納められることにより、カバー材を慳貪式に簡単に取付け、その脱落を防止することができる。
【００１６】
また、本発明に係るサッシ窓によれば、方立は上枠の下面及び下枠の上面にそれぞれ設けられた取付金具に取付けられると共に、方立の室外側面から固着具により取付金具に対し固定されることにより、方立を容易かつ確実に取付できる。
【発明を実施するための最良の形態】
【００１７】
本発明の実施形態について、図面に沿って詳細に説明する。図１には、本実施形態におけるサッシ窓の室内側から見た正面図を示している。この図に示すように、本実施形態におけるサッシ窓は、横長の方形状に枠組みされてなる窓枠体１を設け、窓枠体１の幅方向中間位置には、縦方向に方立２を設けると共に、方立２の左右にはそれぞれ障子３を開閉自在に納めて構成されている。
【００１８】
窓枠体１は、上枠１０と下枠１１及び左右の縦枠１２、１２を方形状に枠組みして構成されている。方立２は、上下端面がそれぞれ上枠１０の下面と下枠１１の上面に突き当てられ、連結されることによって固定されている。これら窓枠体１と方立２によって、窓枠体１内には２つの方形状の空間が形成され、各空間に障子３が納められる。
【００１９】
障子３は、上框２０と下框２１及び左右の縦框２２、２２を方形状に框組みしてなる框体４内にガラス板からなるパネル体５を納めて構成されている。框体４を構成する一方の縦框２２には、操作ハンドル２３が設けられており、これを手で持って回動させることで障子３の窓枠体１に対する施錠、解錠をなすことができると共に、解錠状態において手で持って室内外方向に操作することで、障子３を開閉させることができる。本実施形態で障子３は、いずれも操作ハンドル２３が設けられる側と反対側の縦辺を軸として室内外方向に辷り出す縦辷り出し窓として構成されている。
【００２０】
図２にはサッシ窓の縦断面図を、図３にはサッシ窓の横断面図を、それぞれ示している。図２に示すように、窓枠体１を構成する上枠１０は、室外側の金属上枠１０ａとその室内側露出面を覆う樹脂上枠１０ｂとからなり、下枠１１は、室外側の金属下枠１１ａとその室内側露出面を覆う樹脂下枠１１ｂとからなり、縦枠１２は、室外側の金属縦枠１２ａとその室内側露出面を覆う樹脂縦枠１２ｂとからなっている。すなわち、窓枠体１は室外側の金属枠１３とその室内側露出面を覆う樹脂枠１４によって形成されている。
【００２１】
方立２は、窓枠体１と同様に、金属方立３０の室内側露出面を覆うように樹脂方立３１が配設されている。また、障子３を構成する框体４も、窓枠体１や方立２と同様に複合材からなり、室外側の金属框２４の室内側露出面を覆うように樹脂框２５が配設される。このように、サッシ窓を構成する窓枠体１と方立２及び框体４が、いずれも室内側に露出する部分が樹脂材により構成されており、断熱性及び意匠性を高めた複合サッシとされている。
【００２２】
樹脂枠１４と樹脂方立３１の内周面には、障子３の室内側に配置される網戸６を保持する凹状の保持部１７が形成される。網戸６は、上枠１０から下枠１１に渡る長さを有した持手部６ａと、伸縮自在な網からなる網部６ｂとからなり、網部６ｂの一端部が操作ハンドル２３が設けられる側と反対側の縦辺に固定される。すなわち、図３の図中右側の障子３の室内側に設けられる網戸６は、図中右側の縦枠１２に形成された保持部１７に保持されて、方立２の右側面に形成された保持部１７まで持手部６ａをスライドすることができるようにされている。一方、図３の図中左側の障子３の室内側に設けられる網戸６は、方立２の左側面に形成された保持部１７に保持され、図中左側の縦枠１２に形成された保持部１７まで持手部６ａをスライドすることができるようにされている。
【００２３】
図４には図３の中央付近拡大図を示している。また、図５には方立２の分解横断面図を示している。方立２は、前述のように金属方立３０と樹脂方立３１からなるが、金属方立３０は、さらに方立本体３２とカバー材３３の二部材からなり、樹脂方立３１は、さらに室内部材３４と左右の側面部材３５の三部材からなっている。
【００２４】
金属方立３０を構成する方立本体３２は、断面中空状に形成され、室外側に面する室外側面３２ａと、室内側に面する室内側面３２ｂと、左右の障子３の縦框２２と対向する側面３２ｃ、３２ｃを有して構成されている。室外側面３２ａの両側部には、それぞれタイト材保持部３２ｄ、３２ｄが形成されており、その略全長に渡って縦タイト材３６が取付けられる。
【００２５】
方立２と対向する左右の各縦框２２は、それぞれ室外面が方立２側に伸びており、方立本体３２の室外側面３２ａと対向する対向部２２ａを有している。対向部２２ａは、障子３が閉じた状態において、先端部が方立本体３２に取付けられた縦タイト材３６に当接し、これによって障子３と方立２の間の縦辺における気密性及び水密性を確保する。
【００２６】
金属方立３０の室外側面３２ａのうち、左右の各縦框２２の外周端部間の領域には、突出部３７が形成され、その室外面は縦框２２の室外面と略面一状となるようにしている。突出部３７は、方立本体３２の室外側面３２ａに突出状に形成される係合部３２ｅと、カバー材３３とで構成されている。カバー材３３は、断面略コ字状の長尺材からなり、室内端部が係合部３２ｅに係合して方立本体３２に固定される。
【００２７】
カバー材３３の係合部３２ｅに対する室内側係合端部が、方立本体３２のタイト材保持部３２ｄに保持される縦タイト材３６の縦框２２に対する当接位置と、室内外方向において略同じとなるようにされている。その効果については後で述べる。
【００２８】
方立２が突出部３７を有しない場合には、方立２の室外側面３２ａに室外側から対向する縦框２２の室外面に比べて、方立２の室外側面３２ａが凹んだように見えるので、意匠性の点で問題がある。このように、金属方立３０の室外側面３２ａに、室外面が縦框２２の室外面と略面一状となる突出部３７が形成されていることにより、室外側からサッシ窓を見た場合に、２枚の障子３の間が略面一状となり、意匠性を良好にすることができる。
【００２９】
方立本体３２の室内側面３２ｂは、室外側面３２ａよりも外方に長く伸びており、また室内側に向かって突出する取付面部３２ｆを２つ有している。すなわち、取付面部３２ｆは、室内外方向に伸びるように形成されている。この取付面部３２ｆに対して樹脂方立３１を構成する室内部材３４が取付けられる。室内部材３４は、室内側に面する室内面部３４ａを備え、室内面３４ａから室外側に向かって伸びる固定面部３４ｂを２つ有している。各固定面部３４ｂは、方立本体３２の取付面部３２ｆに対して方立２の外周側から当接し、ネジ止め固定される。
【００３０】
金属方立３０の取付面部３２ｆは室内外方向に伸びるように形成され、樹脂方立３１の室内部材３４は取付面部３２ｆに対して当接固定されるようにしているので、樹脂方立３１は金属方立３０に対する取付位置を室内外方向に調整することができる。このために、室内部材３４に設けられるネジを挿通するネジ孔は、室内外方向に長い長孔状に形成されている。
【００３１】
このように、樹脂方立３１の金属方立３０に対する固定位置を室内外方向に調整可能となるようにしたので、窓枠体１を組立てた際に、各枠材の寸法誤差や組立誤差により方立２の室内面と窓枠体１の室内面とに面ずれが生じても、方立２の室内面を構成する樹脂方立３１の固定位置を調整することで、窓枠体１との面ずれを解消することができる。これによって、室内側から見た意匠性を良好にすることができる。
【００３２】
樹脂方立３１を構成する側面部材３５は、金属方立３０の取付面部３２ｆとそれより外周側の室内側面３２ｂを覆うように形成され、室外端部の固着部３５ａが方立本体３２の室内側面３２ｂの外周端部に係合固定され、それより室内側が断面略Ｊ字状をなすように形成されて、全体としては断面形状が柄杓状となるようにされている。方立２において網戸６を保持する保持部１７は、側面部材３５と室内部材３４の室内面部３４ａによって凹状をなすように構成されている。
【００３３】
側面部材３５のうち保持部１７の底面を構成する部分は、当接部３５ｂとして室内部材３４の固定面部３４ｂに当接している。そして、側面部材３５の当接部３５ｂと室内部材３４の固定面部３４ｂは、ネジ止めにより方立本体３２の取付面部３２ｆに対して共締め固定されている。これにより、樹脂方立３１を構成する室内部材３４と側面部材３５が一体化されると共に、金属方立３０に対して強固に一体化される。
【００３４】
次に、窓枠体１に方立２を取付ける組立工程について説明する。図６には、方立２を取付ける前の上枠１０及び下枠１１の縦断面図を示している。この図に示すように、上枠１０と下枠１１には、室外側の内周面にそれぞれ取付金具１５が固定される。取付金具１５は、上枠１０や下枠１１の内周面に当接してネジ止め固定される枠固定面１５ａと、室外側に面する方立固定面１５ｂと、枠固定面１５ａ及び方立固定面１５ｂと直交する側面１５ｃとを有している。
【００３５】
図７には、方立２を取付ける際の上枠１０及び下枠１１の縦断面図を示している。この図において方立２は、室外端部に取付けられるカバー材３３以外が組み立てられた状態であり、すなわち方立本体３２に樹脂方立３１が取付けられた状態である。なお、この時点では、方立本体３２と樹脂方立３１の固定をなすネジは、仮固定の状態としておく。
【００３６】
樹脂方立３１は、樹脂上枠１０ｂや樹脂下枠１１ｂと干渉しないように、方立本体３２よりも上下が短くされている。この方立２の室外側面３２ａを上枠１０と下枠１１に固定された取付金具１５の方立固定面１５ｂに当接させ、室外側から固着具であるネジにより固定する。図４に示すように、このときに方立２の側面３２ｃは、取付金具１５の側面１５ｃに当接し、窓枠体１幅方向の位置決めがなされる。このネジ止めは、方立本体３２の２つの係合部３２ｅ間の領域においてなされる。したがって、カバー材３３を取付けると方立２と上枠１０及び下枠１１との連結部分は露出しないこととなる。このため、意匠性を良好にすることができる。
【００３７】
方立２は上枠１０及び下枠１１の取付金具１５に対し、室外側から固着具により固定されるが、これを側面側から固定しようとすると、ネジを締結するための工具が上枠１０及び下枠１１と干渉しないように、固定位置を上枠１０及び下枠１１から離れた位置とする必要がある。この場合、方立２と上枠１０及び下枠１１との固定強度が低下する。ここでは方立２と取付金具１５の連結が室外側から挿入されるネジによってなされるので、固定位置を上枠１０及び下枠１１の近傍とすることができ、固定強度を大きくすることができる。
【００３８】
方立２を取付金具１５に固定したら、方立２の室内面が窓枠体１の室内面と面一状となるように、樹脂方立３１の金属方立３０に対する室内外方向取付位置を調整する。調整して全体が面一状となったら、樹脂方立３１と金属方立３０を固定するネジを本締めする。
【００３９】
図８には、カバー材３３を取付ける際の上枠１０及び下枠１１の縦断面図を示している。上枠１０の室外側部には、長手方向に沿って横タイト材１０ｃが設けられ、下枠１１の室外側部にも、長手方向に沿って横タイト材１１ｃが設けられている。これらの横タイト材１０ｃ、１１ｃは、いずれも縦枠１２や方立２に設けられる縦タイト材３６と同じ室内外方向位置に設けられ、これらのタイト材が四周に渡って連続した気密ラインを構成するようにしている。また、上枠１０の横タイト材１０ｃが設けられている位置よりも室外側は、溝状に形成されて下方に開口する凹部１０ｄとされている。一方、下枠１１の横タイト材１１ｃが設けられている位置よりも室外側は、平面状の載置面１１ｄとされている。
【００４０】
カバー材３３は、方立本体３２よりも上下方向に長く形成されており、図中破線で示すように斜めにした状態で上端部を上枠１０の凹部１０ｄに挿入し、続いて下端部を下枠１１の載置面１１ｄに載置すると共に、方立本体３２の係合部３２ｅに係合させて固定する。また、それに伴って上枠１０の横タイト材１０ｃと下枠１１の横タイト材１１ｃは、それぞれカバー材３３の室内面に当接する。
【００４１】
前述のように、カバー材３３の当接室内端位置は、方立２において縦タイト材３６が障子３の縦框２２に当接する位置と室内外方向において略同じ位置である。縦タイト材３６と横タイト材１０ｃ、１１ｃは、四周に渡って同じ室内外方向位置に設けられているため、カバー材３３は上枠１０の横タイト材１０ｃ及び下枠１１の横タイト材１１ｃと干渉することがなく、これらが当接することとなる。したがって、横タイト材１０ｃ、１１ｃは、いずれも上枠１０と下枠１１の略全長に渡って通し状に設けることができる。このため、タイト材を分割して設けるのに比べて、気密性及び水密性を高くすることができる。
【００４２】
以上、本発明の実施形態について説明したが、本発明の適用は本実施形態には限られず、その技術的思想の範囲内において様々に適用されうるものである。
【図面の簡単な説明】
【００４３】
【図１】本実施形態におけるサッシ窓の室内側から見た正面図である。
【図２】サッシ窓の縦断面図である。
【図３】サッシ窓の横断面図である。
【図４】図３の中央付近拡大図である。
【図５】方立の分解横断面図である。
【図６】方立を取付ける前の上枠及び下枠の縦断面図である。
【図７】方立を取付ける際の上枠及び下枠の縦断面図である。
【図８】カバー材を取付ける際の上枠及び下枠の縦断面図である。
【符号の説明】
【００４４】
１    窓枠体
２    方立
３    障子
４    框体
５    パネル体
６    網戸
１０    上枠
１０ｃ  横タイト材
１０ｄ  凹部
１１    下枠
１１ｃ  横タイト材
１１ｄ  載置面
１２    縦枠
１３    金属枠
１４    樹脂枠
１５    取付金具
１７    保持部
２２    縦框
２２ａ  対向部
３０    金属方立
３１    樹脂方立
３２    方立本体
３２ａ  室外側面
３２ｂ  室内側面
３２ｃ  側面
３２ｅ  係合部
３２ｆ  取付面部
３３    カバー材
３４    室内部材
３４ａ  室内面部
３４ｂ  固定面部
３５    側面部材
３５ａ  固着部
３５ｂ  当接部
３６    縦タイト材
３７    突出部
【図１】
2010121296.tif 000003
【図２】
2010121296.tif 000004
【図３】
2010121296.tif 000005
【図４】
2010121296.tif 000006
【図５】
2010121296.tif 000007
【図６】
2010121296.tif 000008
【図７】
2010121296.tif 000009
【図８】
2010121296.tif 000010